(57)【要約】【課題】複数の電流路を接続／非接続する装置において、電流路を導通／遮断させる順位が必然的に決定され変更されない。高圧及び／又は大電流に耐え堅牢。接続状態が密で非接続が容易。【解決手段】第１電流路の一方の極性の電流路を接続する端子１１及び端子１２と、第１電流路の他方の極性の電流路を接続する端子１３及び端子１４と、第２電流路の一方の極性の電流路を接続する端子２１及び端子２２と、第２電流路の他方の極性の電流路を接続する端子２３及び端子２４とを備え、第１電流路を遮断させるとき、端子２１と端子２２の組及び／又は端子２３と端子２４の組が、端子１１と端子１２の組及び端子１３及び端子１４の組より先に非接続となり、遮断される第１電流路と第２電流路の順位が必然的に第２電流路が第１順位、第１電流路が第２順位となり、第１順位及び第２順位が交換されない電気接続部品を実現する。【選択図】図１
2013045664.tif 000002
【特許請求の範囲】
【請求項１】
第１電流を流す外部の第１電流路の一方の極性の電流路を接続する端子１１及び端子１２と、該第１電流路の他方の極性の電流路を接続する端子１３及び端子１４と、
第２電流を流す外部の第２電流路の一方の極性の電流路を接続する端子２１及び端子２２と、該第２電流路の他方の極性の電流路を接続する端子２３及び端子２４と、を備え、
前記第１電流路を遮断させるとき、前記端子２１と前記端子２２の組及び／又は前記端子２３と前記端子２４の組が、前記端子１１と前記端子１２の組及び前記端子１３及び前記端子１４の組より先に非接続となり、遮断される前記第１電流路と前記第２電流路の順位が必然的に該第２電流路が第１順位、該第１電流路が第２順位となり、該第１順位及び該第２順位が交換されないことを特徴とする電流路遮断接続装置。
【請求項２】
第１電流を流す外部の第１電流路の一方の極性の電流路を接続する端子１１及び端子１２と、該第１電流路の他方の極性の電流路を接続する端子１３及び端子１４と、
第２電流を流す外部の第２電流路の一方の極性の電流路を接続する端子２１及び端子２２と、該第２電流路の他方の極性の電流路を接続する端子２３及び端子２４と、を備え、
前記第１電流路を導通させるとき、前記端子１１と前記端子１２の組及び前記端子１３と前記端子１４の組が、前記端子２１と前記端子２２の組及び／又は前記端子２３と前記端子２４の組より先に接続され、導通される前記第１電流路と前記第２電流路の順位が必然的に該第１電流路が第１順位、該第２電流路が第２順位となり、該第１順位及び該第２順位が交換されないことを特徴とする電流路遮断接続装置。
【請求項３】
前記第１電流路を接続する前記各端子は、該各端子を保持する保持体に係合され、該係合部を基点として自己に隣接する該各端子方向に外力により回転可能であることを特徴とする請求項１又は２に記載の電流路遮断接続装置。
【請求項４】
前記第２電流路を接続する前記各端子は、該各端子を保持する保持体に係合され、該係合部を基点として自己に隣接する該各端子方向に外力により回転可能であることを特徴とする請求項１又は２に記載の電流路遮断接続装置。
【請求項５】
前記第１電流路を接続する前記各端子の電流容量は、前記第２電流路を接続する前記各端子の電流容量より大きいことを特徴とする請求項１〜４のいずれかに記載の電流路遮断接続装置。
【請求項６】
前記第１電流路を接続する前記各端子の接続状態は、前記第２電流路を接続する前記各端子の接続状態より密かつ堅牢であることを特徴とする請求項１〜５のいずれかに記載の電流路遮断接続装置
【発明の詳細な説明】
【技術分野】
【０００１】
本発明は、外部の複数の電流路を接続／非接続する装置において、電流路を導通／遮断させる順位が必然的に決定され、この順位が変更・交換されない遮断接続装置に関する。
なお、外部とは、本発明外の構成及び装置すなわち電流路を意味する。  
【背景技術】
【０００２】
従来から、高圧及び／又は大電流を導通させる電流路の事故の１つに挙げられるものは、電流路断線部分に発生するアーク放電である。発生したアーク放電が継続し、これを放置すると火災等の原因にもなる。
電流路の事故は避けがたい災害により発生することもあるが、人為的錯誤にも起因し発生する。この例の一つには、電流路を接続しているコネクタを人為的錯誤により非接続状態に遷移させることが挙げられる。分離させたコネクタの電極の非接続部分間にアーク放電が発生する。
【０００３】
したがって、このような人為的錯誤があっても電流路の事故を防止する技術が求められる。基本的技術としては、高圧及び／又は大電流が流れているコネクタを誤って非接続状態とするとき、必然的に事前にこの電流を停止させることである。
すなわち、コネクタを外すとき、必然的に先に低圧小電流の制御電流を遮断し、これを制御装置が検知し、高圧及び／又は大電流を停止することである。
【０００４】
特許文献１には、コネクタの構造を示す図面が開示されているが、構造が極めて複雑である。したがって、製造コストが嵩み高価となる。
【先行技術文献】
【特許文献】
【０００５】
【特許文献１】特開平８−３０６４２２号公報
【発明の概要】
【発明が解決しようとする課題】
【０００６】
上記の現状に鑑み、本発明は、外部の複数の電流路を接続／非接続する装置において、電流路を導通／遮断させる順位が必然的に決定され、この順位が変更・交換されないことを第１の課題とする。
【０００７】
本発明は、複雑な構造を有せず、かつ、高圧及び／又は大電流に耐え得る堅牢なコネクタを容易に提供することを第２の課題とする。
【０００８】
本発明は、接続時の接続状態が密かつ堅牢で、非接続状態とすることが容易であることを第３の課題とする。
【０００９】
本発明は、高圧及び／又は大電流を流す電流路を接続するコネクタを非接続とするとき、人為的錯誤により、非接続分離したコネクタ間にアーク放電が発生することを防止する目的に好適である。
ただし、上記目的に特に限定する必然性はない。
【課題を解決するための手段】
【００１０】
上記の目的を実現するべく本発明は以下の構成とする。
（１）請求項１に係る電流路遮断接続装置は、
第１電流を流す外部の第１電流路の一方の極性の電流路を接続する端子１１及び端子１２と、該第１電流路の他方の極性の電流路を接続する端子１３及び端子１４と、
第２電流を流す外部の第２電流路の一方の極性の電流路を接続する端子２１及び端子２２と、該第２電流路の他方の極性の電流路を接続する端子２３及び端子２４と、を備え、
前記第１電流路を遮断させるとき、前記端子２１と前記端子２２の組及び／又は前記端子２３と前記端子２４の組が、前記端子１１と前記端子１２の組及び前記端子１３及び前記端子１４の組より先に非接続となり、遮断される前記第１電流路と前記第２電流路の順位が必然的に該第２電流路が第１順位、該第１電流路が第２順位となり、該第１順位及び該第２順位が交換されないことを特徴とする。
（２）請求項２に係る電流路遮断接続装置は、
第１電流を流す外部の第１電流路の一方の極性の電流路を接続する端子１１及び端子１２と、該第１電流路の他方の極性の電流路を接続する端子１３及び端子１４と、
第２電流を流す外部の第２電流路の一方の極性の電流路を接続する端子２１及び端子２２と、該第２電流路の他方の極性の電流路を接続する端子２３及び端子２４と、を備え、
前記第１電流路を導通させるとき、前記端子１１と前記端子１２の組及び前記端子１３と前記端子１４の組が、前記端子２１と前記端子２２の組及び／又は前記端子２３と前記端子２４の組より先に接続され、導通される前記第１電流路と前記第２電流路の順位が必然的に該第１電流路が第１順位、該第２電流路が第２順位となり、該第１順位及び該第２順位が交換されないことを特徴とする。
（３）請求項３に係る電流路遮断接続装置は、請求項１又は２において、
前記第１電流路を接続する前記各端子は、該各端子を保持する保持体に係合され、該係合部を基点として自己に隣接する該各端子方向に外力により回転可能であることを特徴とする。
（４）請求項４に係る電流路遮断接続装置は、請求項１又は２において、
前記第２電流路を接続する前記各端子は、該各端子を保持する保持体に係合され、該係合部を基点として自己に隣接する該各端子方向に外力により回転可能であることを特徴とする。
（５）請求項５に係る電流路遮断接続装置は、請求項１〜４のいずれかにおいて、
前記第１電流路を接続する前記各端子の電流容量は、前記第２電流路を接続する前記各端子の電流容量より大きいことを特徴とする。
（６）請求項６に係る電流路遮断接続装置は、請求項１〜５のいずれかにおいて、
前記第１電流路を接続する前記各端子の接続状態は、前記第２電流路を接続する前記各端子の接続状態より密かつ堅牢であることを特徴とする。
【発明の効果】
【００１１】
（Ａ）本発明は、外部の複数の電流路を接続／非接続する装置において、電流路を導通／遮断させる順位が必然的に決定され、この順位が変更・交換されない。このため、人為的錯誤が発生しない。
（Ｂ）本発明は、複雑な構造を有せず、かつ、高圧及び／又は大電流に耐え得る堅牢なコネクタを容易に提供する。
（Ｃ）本発明は、接続時の接続状態が密かつ堅牢で、非接続状態とすることが容易である。
【図面の簡単な説明】
【００１２】
【図１】は、本発明による電流路遮断接続装置の実施の形態を示す構造図である。
【図２】は、本発明による電流路遮断接続装置の実施の形態を示す別の面から観察した構造図である。
【図３】は、参考形態を示す構造図である。
【図４】は、本発明による電流路遮断接続装置を使用した応用例を示す回路図である。
【発明を実施するための形態】
【００１３】
（１）実施の形態
（１−１−１）構造図
図１は、本発明の実施の形態を示す電流路遮断接続装置の構造図である。
図１は、電流路遮断接続装置を、後述する電極の接続部分に対して側面から観察したものである。すなわち、電極の突起部分を側面から観察したものである。
以下、図１を参照して本発明の電流路遮断接続装置の構造を説明する。
【００１４】
図１に示す符号Ｃ１は、本発明の電流路遮断接続装置の一方の電極を備えるコネクタ部であり、符号Ｃ２は、本発明の電流路遮断接続装置の他方の電極を備えるコネクタ部である。
【００１５】
以下、Ｃ１をコネクタＣ１、Ｃ２をコネクタＣ２と称す。
また、コネクタＣ１とコネクタＣ２を併合してコネクタＣと称す。
【００１６】
コネクタＣ１には、符号Ｔ１、Ｔ２、Ｔ３及びＴ４で示す電流路を接続し導通させる電極が存在する。
【００１７】
7/22
コネクタＣ１には、回転軸Ｐｉｖ１が、それぞれ電極Ｔ１、Ｔ２、Ｔ３、Ｔ４のそれぞれＥ１、Ｅ２、Ｅ３、Ｅ４側に配設されている。すなわち、各電極の奥部に配設されている。図ではＴ１のみに表示されているが、他も同様である。
【００１８】
コネクタＣ２には、符号Ｕ１、Ｕ２、Ｕ３及びＵ４で示す電流路を接続し導通させる電極が存在する。
【００１９】
コネクタＣ２には、回転軸Ｐｉｖ２が、それぞれ電極Ｕ１、Ｕ２、Ｕ３、Ｕ４のそれぞれＦ１、Ｆ２、Ｆ３、Ｆ４側に配設されている。すなわち、各電極の奥部に配設されている。図ではＵ１のみに表示されているが、他も同様である。
【００２０】
コネクタＣ１の電極Ｔ２、Ｔ３は、コネクタＣ２の電極Ｕ２、Ｕ３にそれぞれ挿入される構造である。
コネクタＣ２の電極Ｕ１、Ｕ４は、コネクタＣ１の電極Ｔ１、Ｔ４にそれぞれ挿入される構造である。これらの構造は一例である。
上記の様に電極が挿入されると、コネクタＣ１とコネクタＣ２は結合されコネクタＣとして一体（非分離状態）となる。
コネクタＣ１とコネクタＣ２を分離させようとして、図１を正視して、コネクタＣ１を反時計回り、コネクタＣ２を時計回りに捻った場合、この外力応じて、上記それぞれの電極（Ｔ１〜Ｔ４、Ｕ１〜Ｕ４）は、それぞれの回転軸Ｐｉｖ１、回転軸Ｐｉｖ２を軸として必要な程度に回転可動できる構造である。
【００２１】
コネクタＣ１とコネクタＣ２を分離させようとして、図１を正視して、コネクタＣ１を時計回り、コネクタＣ２を反時計回りに捻った場合も、この外力応じて、上記それぞれの電極（Ｔ１〜Ｔ４、Ｕ１〜Ｕ４）は、それぞれの回転軸Ｐｉｖ１、回転軸Ｐｉｖ２を軸として必要な程度に回転可動できるようにしている。
【００２２】
特許請求の範囲の用語で、
第１電流路の一方の極性の電流路を接続する端子１１は、電極Ｔ２である。
第１電流路の一方の極性の電流路を接続する端子１２は、電極Ｕ２である。
第１電流路の他方の極性の電流路を接続する端子１３は、電極Ｔ３である。
第１電流路の他方の極性の電流路を接続する端子１４は、電極Ｕ３である。
なお、第１電流路は、外部の電流路である。「外部の」とは、本発明外の構成である。
第１電流路には、第１電流である高圧及び／又は大電流の電力電流を流す。
【００２３】
特許請求の範囲の用語で、
第２電流路の一方の極性の電流路を接続する端子２１は、電極Ｔ１である。
第２電流路の一方の極性の電流路を接続する端子２２は、電極Ｕ１である。
第２電流路の他方の極性の電流路を接続する端子２３は、電極Ｔ４である。
第２電流路の他方の極性の電流路を接続する端子２４は、電極Ｕ４である。
なお、第２電流路は、外部の電流路である。「外部の」とは、本発明外の構成である。
第２電流路には、第２電流である低圧小容量の制御電流を流す。
【００２４】
Ｈ１、Ｈ４は、それぞれ、電極Ｔ１、電極Ｔ４の中空部であり、それぞれ電極Ｕ１、電極Ｕ４の挿入を受け入れる。挿入されると、電極が接続され、電極Ｔ１と電極Ｕ１、電極Ｔ４と電極Ｕ４が導通する。
【００２５】
Ｊ２、Ｊ３は、それぞれ、電極Ｕ２、電極Ｕ３の中空部であり、それぞれ電極Ｔ２、電極Ｔ３の挿入を受け入れる。挿入されると、電極が接続され、電極Ｔ２と電極Ｕ２、電極Ｔ３と電極Ｔ４が導通する。
【００２６】
Ｅ１、Ｅ２、Ｅ３、Ｅ４は、それぞれ、電極Ｔ１、電極Ｔ２、電極Ｔ３、電極Ｔ４を接続する電線を通過させる電流路接続口である。
【００２７】
Ｆ１、Ｆ２、Ｆ３、Ｆ４は、それぞれ、電極Ｕ１、電極Ｕ２、電極Ｕ３、電極Ｕ４を接続する電線を通過させる電流路接続口である。
それぞれの電極には電線すなわち、それぞれ割り当てられた外部の電流路である第１電流路（一方の極性、他方の極性）、第２電流路（一方の極性、他方の極性）が接続される。
【００２８】
（１−１−２）構造図
図２は、本発明の実施の形態を示す電流路遮断接続装置の別の面から観察した構造図である。
図２は、図１に示す電流路遮断接続装置を、電極の接続部分に対して正面、すなわち、電極の奥行き方向に向かって観察したものである。
図２は図１と同じ電流路遮断接続装置の観察面を変えたものである。
以下、図２を参照して本発明の電流路遮断接続装置の構造を説明する。
【００２９】
Ｈ１、Ｈ４、Ｊ２、Ｊ３は、それぞれ、電極Ｔ１、電極Ｔ４、電極Ｕ２、電極Ｕ３の中空部を示す。
【００３０】
電極Ｔ２、電極Ｔ３、電極Ｕ１及び電極Ｕ４には中空部がない。上記中空部に挿入される導電部である。
【００３１】
図２のＣ１、Ｃ２は、それぞれ図１におけるＣ１、Ｃ２と同じく、コネクタＣ１、コネクタＣ２である。
図１及び図２には、各電極を保持する構造体があり、各電極を保持する筐体でもある。
すなわち、コネクタＣ１及びコネクタＣ２において各電極以外は、上記各電極を保持する筐体としての構造体である。この構造体は絶縁体である。
【００３２】
（１−２）装置動作
図１を参照して本発明の実施の形態である電流路遮断接続装置の動作を説明する。
【００３３】
図１は、コネクタＣ１とコネクタＣ２を電極に対して平行に分離（引き離し）したときの状態を示す。
電極Ｔ１と電極Ｕ１の組及び電極Ｔ４と電極Ｕ４の組が、電極Ｔ２と電極Ｕ２の組及び電極Ｔ３と電極Ｕ３の組より先に非接触状態（非導通）となる。
すなわち、電極Ｔ１と電極Ｕ１が離隔し、電極Ｔ４と電極Ｕ４が離隔する。
この状態では、電極Ｔ２と電極Ｕ２の組及び電極Ｔ３と電極Ｕ３の組を接触状態（導通）として維持することができる。
すなわち、電極Ｔ２と電極Ｕ２が離隔し、電極Ｔ３と電極Ｕ３は離隔していない状態である。
なお、平行に分離とは、後述するコネクタＣ１を反時計回り又は時計回りに捻ること、コネクタＣ２を時計回り又は反時計回りに捻るという方法でコネクタＣ１とコネクタＣ２を分離させるという動作をしないことである。
すなわち、電極の挿入方向に対して平行に分離するという意味である。
【００３４】
また、コネクタＣ１における電極群Ｔ（Ｔ１〜Ｔ４）とコネクタＣ２における電極群Ｕ（Ｕ１〜Ｕ４）の挿入における摩擦に係る接続状態が強固で、上記の平行分離が人手により困難な場合、人手により、コネクタＣ１を反時計回りに、コネクタＣ２を時計回りに捻り（回転させ）、コネクタＣ１とコネクタＣ２を分離させることが考えられる。
上記の行為の過程で、先に電極Ｔ１と電極Ｕ１が離隔し、かつ、電極Ｔ２と電極Ｕ２の組が離隔せず、かつ、電極Ｔ３と電極Ｕ３の組が離隔しない状態を維持することができる。
コネクタＣ１を時計回りに、コネクタＣ２を反時計回りに捻り、コネクタＣ１とコネクタＣ２を分離させることも同様の意図である。
すなわち、上記の行為の過程で、先に電極Ｔ４と電極Ｕ４が離隔し、かつ、電極Ｔ２と電極Ｕ２の組が離隔せず、かつ、電極Ｔ３と電極Ｕ３の組が離隔しない状態を維持することができる。
このような事象を発生させるため、電極Ｔ１〜Ｔ４、電極Ｕ１〜Ｕ４の長さ、また、前述した当該電極の回転角の程度を設定しておく。
最終的には、コネクタＣ１とコネクタＣ２は完全に分離し、電極Ｔ２と電極Ｕ２も離隔し、かつ、電極Ｔ３と電極Ｕ３も離隔する。
これで、電力伝送ケーブルの結合が解除される。
【００３５】
コネクタＣ１における電極群ＴとコネクタＣ２における電極群Ｕの接続状態が強固であるという要因は、接触不良による断流を防止し、かつ電気接触抵抗を小さくするために、電極Ｔ１と、電極Ｔ１に差し込まれた電極Ｕ１との摩擦抵抗が必然的に大となっているということが考えられる。電極Ｔ４と電極Ｕ４の組も同様である。
当然であるが、電極Ｔ２と電極Ｕ２の組、電極Ｔ３と電極Ｕ３の組も同様な考え方で、強固に接続されている。
接続状態が強固の大きさは、次式で表される。
電極Ｔ２と電極Ｕ２の組、電極Ｔ３と電極Ｕ３の組＞電極Ｔ１と電極Ｕ１の組、電極Ｔ４と電極Ｕ４の組
このような状態で、電極Ｔ２と電極Ｕ２、電極Ｔ３と電極Ｕ３を接触状態を維持することができる。
すなわち、電極Ｔ２と電極Ｕ２との間及び／又は電極Ｔ３と電極Ｕ３との間にアーク放電が発生しない。
【００３６】
電極の接続状態を強固にし電気接触抵抗を小さくする必要性あるという点では、高圧及び／又は大電流を流す電力伝送路である第１電流路の一方の極性（たとえば正極）を接続する電極Ｔ２及び電極Ｕ２の組、第１電流路の他方の極性（たとえば負極）を接続する電極Ｔ３及び電極Ｕ３の組の方が、制御電流を流す第２電流路を接続する電極Ｔ１及び電極Ｕ１の組、電極Ｔ４及びＵ４の組より重要である。
【００３７】
一般に、コネクタは人手で外すことが多い。したがって、人間は、コネクタの分離を容易にするため、コネクタＣ１を反時計回りに、コネクタＣ２を時計回り捻り、コネクタＣ１とコネクタＣ２を分離させようと考える。
コネクタＣ１を時計回りに、コネクタＣ２を反時計回り捻り、コネクタＣ１とコネクタＣ２を分離させようとすることも同様である。
【００３８】
コネクタＣ１とコネクタＣ２を平行移動させコネクタＣ１とコネクタＣ２を分離させること、コネクタＣ１を反時計回りに、コネクタＣ２を時計回り捻り、コネクタＣ１とコネクタＣ２を分離させること、コネクタＣ１を時計回りに、コネクタＣ２を反時計回り捻り、コネクタＣ１とコネクタＣ２を分離させことのいずれにおいても、電極Ｔ１と電極Ｕ１、電極Ｔ４と電極Ｕ４のいずれか又は両方が先に非接触状態となる。
【００３９】
すなわち、第２電流路は遮断される。この状態で、電極Ｔ２と電極Ｕ２、電極Ｔ３と電極Ｕ３は、接触状態を維持することができる。すなわち、第１電流路はまだ遮断されない。
【００４０】
なお、図１において各電極は長く描かれているが、特徴を強調するためで、実際にはコネクタＣ１を反時計回り及びコネクタＣ２を時計回りに捻って、電極Ｔ１と電極Ｕ１を先に非接触状態とし、電極Ｔ２と電極Ｕ２が接触状態を維持し（捻り方からして電極Ｔ３と電極Ｕ３は当然、接触状態を維持している。）、又は、コネクタＣ１を時計回り及びコネクタＣ２を反時計回りに捻って、電極Ｔ４と電極Ｕ４を先に非接触状態とし、電極Ｔ３と電極Ｕ３が接触状態を維持（捻り方からして電極Ｔ２と電極Ｕ２は当然、接触状態を維持している。）するように長さを調整する。
【００４１】
第１電流路には高圧及び／又は大電流を流すが、第２電流路が遮断されると、第２電流の遮断を制御装置が検出し、該制御装置が、第１電流路に流す高圧及び／又は大電流の供給源の電力供給を正規に停止することができる。すなわち、電極Ｔ２と電極Ｕ２及び／又は電極Ｔ３と電極Ｕ３が非接触状態となる前に、このような正規な手段により供給電力の停止措置が為される。
【００４２】
第２電流路が遮断されずに、第１電流路を導通する電極Ｔ２と電極Ｕ２の組及び／又は電極Ｔ３と電極Ｕ３の組が非接触（非接続又は非導通）状態となると、第１電流路に高圧及び／又は大電流が流れている場合、電極Ｔ２と電極Ｕ２の組の非接触部（非接続又は非導通）間及び／又は電極Ｔ３と電極Ｕ３の組の非接触部（非接続又は非導通）間にアーク放電が発生する。
【００４３】
すなわち、電極Ｔ２と電極Ｕ２との間にアーク放電が発生するか、電極Ｔ３と電極Ｕ３との間にアーク放電が発生するか、電極Ｔ２と電極Ｕ２との間及び電極Ｔ３と電極Ｕ３との間にアーク放電が発生するか、いずれかの事象が発生する。
【００４４】
電力を伝送する第１電流路は、伝送路が長い場合、複数のケーブルを接続して電力を伝送するため複数のコネクタが必要である。したがって、コネクタＣ１の電極Ｔ２及び電極Ｔ３、コネクタＣ２の電極Ｕ２及び電極Ｕ３が必要である。
【００４５】
制御電流を伝送する第２電流路は、第１電流路の伝送路が長い場合、第１電流路と同様に複数のケーブルを接続して制御電流を伝送するため複数のコネクタが必要である。したがって、コネクタＣ１の電極Ｔ１及び電極Ｔ４、コネクタＣ２の電極Ｕ１及び電極Ｕ４が必要である。
【００４６】
本発明の電流路遮断接続装置は、コネクタＣ１に電極Ｔ１と電極Ｔ４を備え、コネクタＣ２に電極Ｕ１と電極Ｕ４を備えているので、上記のような如何なる分離方法によってコネクタＣ１とコネクタＣ２を分離させても、制御電流である第２電流を電力伝送である第１電流より先に遮断できる。
【００４７】
すなわち、本発明の電流路遮断接続装置のコネクタＣ１、コネクタＣ２には、電力伝送路を接続する電極の他に、それぞれ、電極Ｔ１及び電極Ｔ４、電極Ｕ１及び電極Ｕ４が必須要件となる。
【００４８】
（２）参考形態
（２−１）構造図及び動作
図３は、本発明ではない参考構造図である。
図３は、図１と同様に電極の接続部分に対して側面から観察したものである。すなわち、電極の突起部分に対して側面から観察したものである。
図２に対応する電極の接続部分に対して正面から観察した図面は省略しているが図２と同様である。
【００４９】
図３は、図１のコネクタＣ１から電極Ｔ１、コネクタＣ２から電極Ｕ１を除去したものである
【００５０】
図３では、図１におけるコネクタＣ１をコネクタＣ３に、コネクタＣ２をコネクタＣ４に名称を変えている。
【００５１】
したがって、図３における電極Ｔ５、電極Ｔ６、電極Ｔ７は、図１における電極Ｔ２、電極Ｔ３、電極Ｔ４に、それぞれ対応する。
また、図３における電極Ｕ５、電極Ｕ６、電極Ｕ７は、図１における電極Ｕ２、電極Ｕ３、電極Ｕ４に、それぞれ対応する。
【００５２】
図３では、図１で表示した中空部の符号は省略しているが、図３においても同様に存在する。
図１における回転軸Ｐｉｖ１は、図３において回転軸Ｐｉｖ３、図１における回転軸Ｐｉｖ２は、図３において回転軸Ｐｉｖ４と名称を変えているが、図３における回転軸も図１における回転軸と同様である。
【００５３】
図３では、コネクタＣ３に図１のコネクタＣ１の電極Ｔ１相当、コネクタＣ４に図１のコネクタＣ２の電極Ｕ１相当が無いため、コネクタＣ３を反時計回り、コネクタＣ４を時計回りに捻ると、電力伝送路を接続する電極Ｔ５と電極Ｕ５が、制御電流路を接続する電極Ｔ７及び電極Ｕ７より先に非接触状態となる。
【００５４】
すなわち、制御電流を流す電極Ｔ７と電極Ｕ７が導通して制御電流が流れ、電力伝送路を導通させる電極Ｔ５と電極Ｕ５が非接触状態であり、電力伝送路が遮断されている。
【００５５】
図３では、図１における第２電流に相当する制御電流が流れているため、図３における図１の説明に相当する制御装置（図示なし）は、図３では、図１における第１電流路に相当する電流路に流す高圧及び／又は大電流供給源（図示なし）の電力供給を停止させない。
【００５６】
したがって、図３におけるコネクタＣ３の電極Ｔ５とコネクタＣ４の電極Ｕ５との間にアーク放電が発生する。
なお、図３において存在しない図１における電極Ｔ１と電極Ｕ１を通過すべく電流路は、図示しない接地回路により構成されている場合を想定している。
【００５７】
（３）本発明の応用例
（３−１）応用例を示す回路図
図４は、本発明の応用例である電流路遮断接続装置を利用したアーク放電検出支援回路である。
【００５８】
回路構成としては、符号Ｌｉ１とＬｉ２で示される電流路Ｌｉ１と電流路Ｌｉ２が高圧及び／又は大電流を伝送する伝送路である。この電流路は、本発明の実施の形態において第１電流路に相当する。
【００５９】
電流路Ｌｉ１は、符号Ｓｈ１で示されるシールド線Ｓｈ１に覆われている。電流路Ｌｉ２は、符号Ｓｈ２で示されるシールド線Ｓｈ２に覆われている。
このシールド線電流路は、本発明の実施の形態において第２電流路に相当する。すなわち、この電流路は本発明の実施の形態において説明した制御電流を流す。
【００６０】
端子Ａ１、端子Ａ２間には伝送用電源を入力する。端子Ａ３、端子Ａ４間は伝送された電力を取得する端子である。
【００６１】
抵抗素子Ｒ１で、電流路Ｌｉ１とシールド線Ｓｈ２を接続している。
抵抗素子Ｒ２で、電流路Ｌｉ２とシールド線Ｓｈ１を接続している。
抵抗素子Ｒ３は、シールド線Ｓｈ１とシールド線Ｓｈ２をループ状に接続構成する。
【００６２】
本発明の応用例図４の回路の目的は、電流路Ｌｉ１及び／又は電流路Ｌｉ２が、シールド線Ｓｈ１及び／又はシールド線Ｓｈ２内で断線したとき、電流路Ｌｉ１及び／又は電流路Ｌｉ２の断線部分にアーク放電が発生し、このアーク放電がシールド線Ｓｈ１及び／又はシールド線Ｓｈ２に引き寄せられ、抵抗素子Ｒ１及び／又は抵抗素子Ｒ２に電流が流れ、抵抗素子Ｒ１及び／又は抵抗素子Ｒ２の両端電圧の変化を検出し、アーク放電を検知するというものである。
本説明において、各要素を及び／又はで表現したが、電流路Ｌｉ１には、シールド線Ｓｈ２、抵抗素子Ｒ１が対応し、電流路Ｌｉ２には、シールド線Ｓｈ１、抵抗素子Ｒ２が対応する。  
【００６３】
図４における電流路と本発明の電流路遮断接続装置の電極の対比の一例を説明する。
電流路Ｌｉ１がコネクタＣ１の電極Ｔ２とコネクタＣ２の電極Ｕ２により接続される
電流路Ｌｉ２がコネクタＣ１の電極Ｔ３とコネクタＣ２の電極Ｕ３により接続される
シールド線Ｓｈ１がコネクタＣ１の電極Ｔ１とコネクタＣ２の電極Ｕ１により接続される。
シールド線Ｓｈ２がコネクタＣ１の電極Ｔ４とコネクタＣ２の電極Ｕ４により接続される。
【００６４】
または、
電流路Ｌｉ２がコネクタＣ１の電極Ｔ２とコネクタＣ２の電極Ｕ２により接続される
電流路Ｌｉ１がコネクタＣ１の電極Ｔ３とコネクタＣ２の電極Ｕ３により接続される
シールド線Ｓｈ２がコネクタＣ１の電極Ｔ１とコネクタＣ２の電極Ｕ１により接続される。
シールド線Ｓｈ１がコネクタＣ１の電極Ｔ４とコネクタＣ２の電極Ｕ４により接続される。
【００６５】
上記のような構成により、コネクタＣ１とコネクタＣ２を分離するとき、シールド線の電流が必ず先に電流断となり、制御装置がこれを検知し、当該制御装置が、電力供給源に指令し、当該電力供給源から端子Ａ１及び端子Ａ２への電力の入力を禁止する。
【００６６】
図４において、符号Ｃａ及びＣｂは、コネクタＣであり、複数存在することを示し、電力伝送路ケーブル（電力伝送線及び制御電流線）を接続している状態を表している。
【符号の説明】
【００６７】
Ｃ１〜Ｃ４              コネクタ
Ｔ１〜Ｔ７              電極
Ｕ１〜Ｕ７              電極
Ｅ１〜Ｅ７              電流路接続口
Ｆ１〜Ｆ７              電流路接続口
Ｈ１、Ｈ４              電極の中空部
Ｊ２、Ｊ３              電極の中空部
Ｐｉｖ１〜Ｐｉｖ４      回転軸
Ｌｉ１、Ｌｉ２          電流路                    
Ｓｈ１、Ｓｈ２          シールド線
Ａ１〜Ａ４              端子
Ｃａ、Ｃｂ              コネクタ        
【図１】
2013045664.tif 000003
【図２】
2013045664.tif 000004
【図３】
2013045664.tif 000005
【図４】
2013045664.tif 000006